(57)【要約】      （修正有）【課題】全体構造の強度が向上するボール収納枠を提供する。【解決手段】アレー状に排列され、地面と接触する一端にローラ２３が組付けてある少なくとも三つの支持管２０と、支持管の数量と同じな枢着管３１が枢着しており、これらの支持管の軸方向に沿ってこれらの支持管の間に設けられ、各枢着管がそれぞれ各支持管に枢着される二つの台座と、両端がそれぞれ二つの台座３０に連接されて台座と連動する連接具４０と、を含むことを特徴とするボール収納枠。【選択図】図３
0003132694.tif 000002
【実用新案登録請求の範囲】
【請求項１】
アレー状に排列され、地面と接触する一端にローラが組付けてある、少なくとも三つの支持管と、
前記支持管の数量と同じな枢着管が枢着してり、これらの支持管の軸方向に沿ってこれらの支持管の間に設けられ、前記各枢着管がそれぞれ前記各支持管に枢着される二つの台座と、
両端がそれぞれ前記二つの台座に連接されて前記台座と連動する連接具と、を含むことを特徴とする、ボール収納枠。
【請求項２】
前記連接具は、管体であり、その両端がそれぞれ前記二つの台座に締付けられ、前記二つの台座の作動方向は同様であることを特徴とする、請求項１に記載のボール収納枠。
【請求項３】
前記連接具は、バネであり、その両端がそれぞれ前記二つの台座に係止され、前記二つの台座は相反方向に作動することを特徴とする、請求項１に記載のボール収納枠。
【請求項４】
前記連接具は、ロープであり、前記二つの台座の作動方向は同様であることを特徴とする、請求項１に記載のボール収納枠。
【請求項５】
更に、前記各支持管には二つのスライドスリーブが増設してあり、これらのスライドスリーブが前記各支持管にそれぞれ位置決められ、前記二つの台座の枢着管がこれらのスライドスリーブに枢着されることを特徴とする、請求項１に記載のボール収納枠。
【請求項６】
更に、前記各支持管内には固定用片状バネが若干に増設してあり、前記固定用片状バネにより、これらのスライドスリーブが前記各支持管に係止されることを特徴とする、請求項５に記載のボール収納枠。
【請求項７】
前記各支持管は、中空形状であり、メーン管と、補助管と、ローラと、締付リングと、から構成されるものであり、前記補助管は、一端にローラが組付けてあり、他端が前記メーン管に挿入され、前記締付リングは、前記メーン管の周面に締付けられ、前記メーン管の前記補助管が挿入された一端に位置されることを特徴とする、請求項５に記載のボール収納枠。
【請求項８】
前記各支持管は、中空形状であり、メーン管と、補助管と、ローラと、押係リングと、から構成されるものであり、前記補助管は、一端にローラが組付けてあり、他端が前記メーン管に挿入され、前記押係リングは、前記メーン管の周面に組み付けられ、前記メーン管の前記補助管が挿入された一端に位置されることを特徴とする、請求項５に記載のボール収納枠。
【請求項９】
前記各支持管のスライドスリーブはリベットによって前記メーン管に位置決められ、且つ前記各補助管の前記スライドスリーブをリベットによって位置決められる位置には溝が成形してあることを特徴とする、請求項７に記載のボール収納枠。
【請求項１０】
前記各支持管のスライドスリーブはリベットによって前記メーン管に位置決められ、且つ前記各補助管の前記スライドスリーブをリベットによって位置決められる位置には溝が成形してあることを特徴とする、請求項８に記載のボール収納枠。
【請求項１１】
前記各支持管のスライドスリーブはリベットによって前記各支持管に位置決められることを特徴とする、請求項５に記載のボール収納枠。
【請求項１２】
前記各支持管のスライドスリーブはＣ型係止リングによって前記各支持管に係止されることを特徴とする、請求項５に記載のボール収納枠。
【請求項１３】
前記各支持管の断面形状は、円形でもいいし、六角形でもいいし、八角形でもいいことを特徴とする、請求項１に記載のボール収納枠。
【請求項１４】
前記支持管の数量は四つであり、更に、前記各支持管にはスライドスリーブが二つ増設してあり、前記二つの台座の枢着管がスライドスリーブに枢着され、前記スライドスリーブが前記支持管に位置決められることを特徴とする、請求項１に記載のボール収納枠。
【考案の詳細な説明】
【技術分野】
【０００１】
本考案は、ボール収納枠に係り、特に、全体構造の強度が向上になったボール収納枠に関するものである。
【背景技術】
【０００２】
目下、球場で集められたボールは、戸棚に入れるか、又は球場の隅に放置することが一般であるが、そうすると、ボールの取出しが不便であるばかりか、球場も乱雑だと見え、だから、このような問題を解決ために、従来のボール収納枠１０が市販になり、図１と図２に示すように、ボール収納枠１０は、四つの支持管１１と、四つの支枠１２とを含み、互いに隣接している支持管１１が支枠１２で連結されて矩形に排列するようになり、前記四つの支枠１２により、ボール収納枠１０は、集めて収納し、又は展開して使用することができる。
【０００３】
前記四つの支持管１１は、互いに隣接している支持管１１だけが支枠１２で連結されるので、全体構造が矩形の枠になり、外力を受けると変形し易く、ボールを長期間に支持すると、ボール収納枠１０が変形して損壊になる虞がある。
【考案の開示】
【考案が解決しようとする課題】
【０００４】
本考案の主な目的は、全体構造の強度が向上になったボール収納枠を提供することにある。
【課題を解決するための手段】
【０００５】
上記目的を達成するためになされた本願の考案は、アレー状に排列され、地面と接触する一端にローラが組付けてある、少なくとも三つの支持管と、前記支持管の数量と同じな枢着管が枢着してり、これらの支持管の軸方向に沿ってこれらの支持管の間に設けられ、前記各枢着管がそれぞれ前記各支持管に枢着される二つの台座と、両端がそれぞれ前記二つの台座に連接されて前記台座と連動する連接具と、を含むことを特徴とするボール収納枠であることを要旨としている。
【０００６】
本願の考案では、前記連接具は、管体であり、その両端がそれぞれ前記二つの台座に締付けられ、前記二つの台座の作動方向は同様であることを特徴とする請求項１に記載のボール収納枠であることを要旨としている。
【０００７】
本願の考案では、前記連接具は、バネであり、その両端がそれぞれ前記二つの台座に係止され、前記二つの台座は相反方向に作動することを特徴とする請求項１に記載のボール収納枠であることを要旨としている。
【０００８】
本願の考案では、前記連接具は、ロープであり、前記二つの台座の作動方向は同様であることを特徴とする請求項１に記載のボール収納枠であることを要旨としている。
【０００９】
本願の考案では、更に、前記各支持管には二つのスライドスリーブが増設してあり、これらのスライドスリーブが前記各支持管にそれぞれ位置決められ、前記二つの台座の枢着管がこれらのスライドスリーブに枢着されることを特徴とする請求項１に記載のボール収納枠であることを要旨としている。
【００１０】
本願の考案では、更に、前記各支持管内には固定用片状バネが若干に増設してあり、前記固定用片状バネにより、これらのスライドスリーブが前記各支持管に係止されることを特徴とする請求項５に記載のボール収納枠であることを要旨としている。
【００１１】
本願の考案では、前記各支持管は、中空形状であり、メーン管と、補助管と、ローラと、締付リングと、から構成されるものであり、前記補助管は、一端にローラが組付けてあり、他端が前記メーン管に挿入され、前記締付リングは、前記メーン管の周面に締付けられ、前記メーン管の前記補助管が挿入された一端に位置されることを特徴とする請求項５に記載のボール収納枠であることを要旨としている。
【００１２】
本願の考案では、前記各支持管は、中空形状であり、メーン管と、補助管と、ローラと、押係リングと、から構成されるものであり、前記補助管は、一端にローラが組付けてあり、他端が前記メーン管に挿入され、前記押係リングは、前記メーン管の周面に組み付けられ、前記メーン管の前記補助管が挿入された一端に位置されることを特徴とする請求項５に記載のボール収納枠であることを要旨としている。
【００１３】
本願の考案では、前記各支持管のスライドスリーブはリベットによって前記メーン管に位置決められ、且つ前記各補助管の前記スライドスリーブをリベットによって位置決められる位置には溝が成形してあることを特徴とする請求項７に記載のボール収納枠であることを要旨としている。
【００１４】
本願の考案では、前記各支持管のスライドスリーブはリベットによって前記メーン管に位置決められ、且つ前記各補助管の前記スライドスリーブをリベットによって位置決められる位置には溝が成形してあることを特徴とする請求項８に記載のボール収納枠であることを要旨としている。
【００１５】
本願の考案では、前記各支持管のスライドスリーブはリベットによって前記各支持管に位置決められることを特徴とする請求項５に記載のボール収納枠であることを要旨としている。
【００１６】
本願の考案では、前記各支持管のスライドスリーブはＣ型係止リングによって前記各支持管に係止されることを特徴とする請求項５に記載のボール収納枠であることを要旨としている。
【００１７】
本願の考案では、前記各支持管の断面形状は、円形でもいいし、六角形でもいいし、八角形でもいいことを特徴とする請求項１に記載のボール収納枠であることを要旨としている。
【００１８】
本願の考案では、前記支持管の数量は四つであり、更に、前記各支持管にはスライドスリーブが二つ増設してあり、前記二つの台座の枢着管がスライドスリーブに枢着され、前記スライドスリーブが前記支持管に位置決められることを特徴とする請求項１に記載のボール収納枠であることを要旨としている。
【考案の効果】
【００１９】
本考案のボール収納枠によれば、全体構造の強度が向上になった効果を有する。
【考案を実施するための最良の形態】
【００２０】
以下、添付図面を参照して本考案の好適な実施の形態を詳細に説明する。
【００２１】
まず、図３乃至図５を参照する。本考案の実施例のボール収納枠は、四つの支持管２０と、二つの台座３０と、一つの連接具４０と、を含む。
【００２２】
前記支持管２０は、全て円形断面を持つ管体であり、メーン管２１と、補助管２２と、ローラ２３と、押係リング２４と、二つのスライドスリーブ２４とから構成されるものであり、前記補助管２２は、一端にローラ２３が組付けてあり、他端がメーン管２１に挿入され、前記押係リング２４は、メーン管２１の周面に組み付けられ、前記メーン管２１の補助管２２が挿入された一端に位置され、押係リング２４のメーン管２１での締付位置を調整することにより、補助管２２とメーン管２１との間の弛緩度を調整することができ、且つ補助管２２のメーン管２１への挿入深さを調整すると、支持管２０の高さを調整することができ、これらはよく知られた構成なので、説明を省略し、また、二つのスライドスリーブ２５がそれぞれメーン管に位置決められ、その位置決め方法は、リベットを使用してもいいし、ねじなどを使用してもよく、これらはよく知られた構成なので、説明を省略し、そして四つの支持管２０がアレー状に排列される。
【００２３】
前記各台座３０は、各支持管２０の軸方向に沿ってこれらの支持管２０の間に設けられ、一つのねじ穴Ａが開設してあり、且つ四つの枢着管３１が枢着してあり、前記各枢着管３１がそれぞれ各支持管２０のと対応するスライドスリーブ２５に枢着され、これにより、二つの台座３０を中心として四つの支持管２０を集めて収納し、又は展開して使用することができる。
【００２４】
前記連接具４０は、ロッドであり、両端に外ねじ端ａが成形してあり、前記二つの外ねじ端ａがそれぞれ二つの台座３０のねじ穴Ａにねじ込まれ、これにより、二つの台座３０の間の構造強度を強化するｋとができ、且つ四つの支持管２０が集められ、又は展開されているときに、二つの台座３０が連動して同じ方向へ作動するようになる。
【００２５】
また、本考案のボール収納枠を展開すると、その上で物置ブラケットＸを組付けることができ、また、本考案のボール収納枠を集めているときに、各支持管２０がそれぞれ各枢着管３１を押えると各枢着管３１が回転するようになり、各枢着管３１により台座３０が各支持管２０の軸方向へ移動し、そして二つの台座３０が連接具４０に連動されて同じ方向へ作動するようになり、この構成により、ボール収納枠を集めて収納袋Ｙに入れることができる。
【００２６】
また、図６と図７を参照する。図６と図７に示すのは本考案の実施例２であって、各支持管２０は、メーン管２１と、補助管２２と、ローラ２３と、二つのスライドスリーブ２５と、押係リング２６と、から構成されるものであり、前記補助管２２は、一端にローラ２３が組付けてあり、他端がメーン管２１に挿入され、Ｃ型係止リングにより二つのスライドスリーブ２５が各支持管２０に係止され、また、押係リング２６は、メーン管２１の周面に取り付けられ、メーン管２１の補助管２２が挿入された一端に位置され、押係リング２６により、補助管２２とメーン管２１との間の弛緩度を調整することができ、そして補助管２２のメーン管２１への挿入深さを調整することもでき、これらはよく知られた構成なので、説明を省略し、また、連接具４０はロープであり、二つの台座３０には段階形状の規制部Ｂがそれぞれ設けてあり、連接具４０の両端がそれぞれ二つの台座３０の規制部Ｂに係止され、このような構成により、四つの支持管２０を集めているときに、二つの台座３０も連動効果を有する。
【００２７】
また、図８乃至図１０を参照する。図８乃至図１０に示すのは本考案の実施例３であって、更に、各支持管２０のメーン管２１に固定用片状バネ２７が若干に増設してあり、各固定用片状バネ２７により、各スライドスリーブ２５が各支持管２０に係止され、二つの台座３０には固定部Ｃがそれぞれ設けてあり、連接具４０はバネであり、各支持管２０にある二つのスライドスリーブ２７がこれらの固定用片状バネ２７のうちの二つに係止され、二つの台座３０が相反方向に作動し、連接具４０の両端がそれぞれ二つの台座３０の固定部Ｃに設けられ、四つの支持管２０を集めているときに、二つの台座３０が互いに相反方向に移動すると共に、連接具４０が引かれるようになり、また、四つの支持管２０を展開しているときに、連接具４０の回復力により二つの台座３０が引かれるようになり、このような構成により、四つの支持管２０を自動的に展開することができ、また、固定用片状バネ２７を押えることによりスライドスリーブ２５が固定用片状バネ２７の規制から脱出すると、各スライドスリーブ２５を別の高さを持つ固定用片状バネ２７に係止することができ、そうすると、各支持管２０に対する各台座３０の高さを調整することができる。
【００２８】
また、本考案のボール収納枠の支持管２０は、その数量が３つ以上あれば、本考案の機能を達成することができ、上記実施例では、支持管２０が四つあるが、勿論、本考案はこれらに限定されなく、また、上記実施例では、各支持管の断面形状が円形であるが、本考案はこれらに限定されなく、すなわち、各支持管の断面形状は、例えば、図１１に示すような六角形でもいいし、図１２に示すような八角形でもいい。
【００２９】
また、各スライドスリーブ２５がメーン管２１に位置決められる場合には、リベットやねじなどを採用して位置決めると、図１３と図１４に示すように、各補助管２２のスライドスリーブ２５をリベットやねじなどによって位置決められる位置には溝２２１が成形してあり、このような構成により、補助管２２は、メーン管２１に挿入されている際に、スライドスリーブ２５を位置決めるためのリベットやねじなどと互いに干渉しなくなる。
【図面の簡単な説明】
【００３０】
【図１】従来のボール収納枠の斜視図である。
【図２】従来のボール収納枠が集められた状態を示す概略図である。
【図３】本考案の斜視図である。
【図４】本考案のボール収納枠に物置ブラケットが設置された状態を示す概略図である。
【図５】本考案のボール収納枠が集められて収納袋に入れられた状態を示す概略図である。
【図６】本考案の連接具がロープである場合の斜視図である。
【図７】本考案の連接具がロープである場合の集められた状態を示す概略図である。
【図８】本考案の連接具がバネである場合の斜視図である。
【図９】本考案の連接具がバネである場合の集められた状態を示す概略図である。
【図１０】本考案のスライドスリーブが固定用片状バネの規制から離脱した状態を示す概略図である。
【図１１】本考案の支持管の断面形状が六角形である場合の概略図である。
【図１２】本考案の支持管の断面形状が八角形である場合の概略図である。
【図１３】本考案の補助管に溝が成形された状態を示す概略図である。
【図１４】本考案の補助管に溝が成形された状態を示す断面図である。
【符号の説明】
【００３１】
１０      ボール収納枠
１１      支持管
１２      支枠
２０      支持管
２１      メーン管
２２      補助管
２２１    溝
２３      ローラ
２４      締付リング
２５      スライドスリーブ
２６      押係リング
２７      固定用片状バネ
３０      台座
Ａ        ねじ穴
Ｂ        規制部
Ｃ        固定部
３１      枢着管
４０      連接具
ａ        外ねじ端
Ｘ        物置ブラケット
Ｙ        収納袋
【図１】
0003132694.tif 000003
【図２】
0003132694.tif 000004
【図３】
0003132694.tif 000005
【図４】
0003132694.tif 000006
【図５】
0003132694.tif 000007
【図６】
0003132694.tif 000008
【図７】
0003132694.tif 000009
【図８】
0003132694.tif 000010
【図９】
0003132694.tif 000011
【図１０】
0003132694.tif 000012
【図１１】
0003132694.tif 000013
【図１２】
0003132694.tif 000014
【図１３】
0003132694.tif 000015
【図１４】
0003132694.tif 000016
【手続補正書】
【提出日】平成19年4月3日(2007.4.3)
【手続補正１】
【補正対象書類名】実用新案登録請求の範囲
【補正対象項目名】請求項１
【補正方法】変更
【補正の内容】
【請求項１】
アレー状に排列され、地面と接触する一端にローラが組付けてある、少なくとも三つの支持管と、前記支持管に枢着される同じ本数の枢着管と、これらの支持管の軸方向に沿ってこれらの支持管の間に設けられ、前記各枢着管に枢着される二つの台座と、両端がそれぞれ前記二つの台座に連接されて前記台座と連動する連接具と、を含むことを特徴とする、ボール収納枠。
【手続補正２】
【補正対象書類名】明細書
【補正対象項目名】０００５
【補正方法】変更
【補正の内容】
【０００５】上記目的を達成するためになされた本願の考案は、アレー状に排列され、地面と接触する一端にローラが組付けてある、少なくとも三つの支持管と、前記支持管に枢着される同じ本数の枢着管と、これらの支持管の軸方向に沿ってこれらの支持管の間に設けられ、前記各枢着管に枢着される二つの台座と、両端がそれぞれ前記二つの台座に連接されて前記台座と連動する連接具と、を含むことを特徴とするボール収納枠であることを要旨としている。